(57)【特許請求の範囲】
【請求項１】
装着者の顔を覆うフェイスシールドであって、
可撓性を有する透明な樹脂製で、上部の両側に連結部をそれぞれ設けたフェイスガード部と、
前記フェイスガード部の前記連結部に挿入可能な、可撓性を有する細長い板状で、両端を互いに連結可能としたストラップ部と、
を備え、
前記フェイスガード部は、
シート状の本体部と、
前記本体部の一方の面側に突出して、前記連結部同士の間に形成された複数のガード側凸部とを備えると共に、
該ガード側凸部の裏面側を空洞状のガード側凹部としており、
前記ストラップ部は、前記ガード側凹部に嵌合するストラップ側凸部を形成しており、
前記ストラップ部を、前記ストラップ側凸部が前記ガード側凹部と対向する姿勢で、前記ストラップ部の両端を、前記連結部にそれぞれ挿入して、前記ストラップ側凸部を前記ガード側凹部に嵌合させた状態で、前記ガード側凸部を装着者の額に接触させて、前記ストラップ部をそれぞれ後頭部側に回して連結することで着用可能に構成してなるフェイスシールド。
【請求項２】
請求項１に記載のフェイスシールドであって、
前記フェイスガード部が、
複数の前記ガード側凸部を、前記連結部同士を結ぶ直線上に、互いに離間して形成してなるフェイスシールド。
【請求項３】
請求項２に記載のフェイスシールドであって、
複数の前記ガード側凸部が、先窄み形状に形成されてなるフェイスシールド。
【請求項４】
請求項２または３に記載のフェイスシールドであって、
複数の前記ガード側凸部が、
前記本体部の中間部に配置される第一ガード側凸部と、
前記本体部の両側部に配置される第二ガード側凸部とを備えており、
前記第一ガード側凸部の裏面側に形成される前記ガード側凹部を前記ストラップ側凸部と嵌合する嵌合凹部としてなるフェイスシールド。
【請求項５】
請求項４に記載のフェイスシールドであって、
前記フェイスガード部が、
前記第一ガード側凸部を複数備えるフェイスシールド。
【請求項６】
請求項４または５に記載のフェイスシールドであって、
前記第一ガード側凸部を３個設けると共に、
前記第二ガード側凸部を両側に１個ずつ設けてなるフェイスシールド。
【請求項７】
請求項４から６のいずれか一項に記載のフェイスシールドであって、
前記第一ガード側凸部が、平面視において等脚台形状に形成されてなるフェイスシールド。
【請求項８】
請求項４から７のいずれか一項に記載のフェイスシールドであって、
前記第二ガード側凸部が、平面視において、前記フェイスガード部の中央側から側縁側に向かって突出高さが次第に低くなる形状に形成されてなるフェイスシールド。
【請求項９】
請求項１から８のいずれか一項に記載のフェイスシールドであって、
前記ストラップ部は、
端部の一方に複数のスリットを、
端部の他方に前記スリットに挿入可能な矢尻状の挿入部を形成してなるフェイスシールド。
【請求項１０】
請求項１から９のいずれか一項に記載のフェイスシールドであって、
前記フェイスガード部が、防曇材を含んでなるフェイスシールド。
【発明の詳細な説明】
【技術分野】
【０００１】
本発明は、フェイスシールドに関する。
【背景技術】
【０００２】
医療現場においては、治療中に患者の体液や血液が飛散し、これが誤って医者や看護婦の眼、口、鼻に接触することがある。治療を受ける患者が伝染性の病原菌を保有している場合には、この病原菌を含む液体が医者等の眼、口、鼻に接触することにより、医者等が病原菌に感染するケースもあった。特に近年のＣＯＶＩＤ−１９、いわゆる新型コロナウィルスの世界的流行により、これに感染している患者の治療に際して医者等が病原菌に感染しないように、医者等の眼、口などと患者の病原菌を含む液体との接触を確実に防止する必要性は更に高まっている。また医療現場においては、有害な薬液を取り扱う場合も多く、これが誤って医者や看護婦の眼、口、鼻、あるいは皮膚などに接触し、医者等に障害を与えることもあった。
【０００３】
そこで、有害な液体が顔面に接触しないようこれを保護する医療用顔面保護具が提案されている（例えば特許文献１参照）。この医療用顔面保護具は、図２３に示すように、顔面を覆う液体不浸透性の透明な平板フィルム９１が、当該平板フィルム９１を頭部に固定する固定部材９２に、平板フィルム９１両側端に設けられたスペーサー部９３を介して取り付けられている。これにより、着用時にスペーサー部９３によって平板フィルム９１と顔面との間に間隔が設けられ、眼鏡を着用していても顔が圧迫されたり、眼鏡がフィルムに接触しない構造としている。
【０００４】
ただ、以上の構造の医療用顔面保護具は、平板フィルムで顔面を覆うため、顔面の前面側は被覆できるが、顔面の側面側は十分に被覆できない欠点がある。また、平面状の平板フィルムは、薄くすると変形し易くなって使用時における形状が安定しないため、厚く成形する必要があって、安価に多量生産できない問題点もあった。とくに、感染症の流行時における医療現場等においては、使用後は廃棄処分されるため、安価に多量生産することが求められる。
【０００５】
これに対して、透明な平板フィルムに代えて、湾曲可能な透明プラスチック板を使用して装着者の顔を覆うフェイスシールドとして、図２４の展開図に示すように透明プラスチックシートからなるフェイスガード部８１の両側にストラップ部８２を一体成形したものも提案されている。図２４に示すフェイスシールド８０は、シート状のフェイスガード部８１の上部に、顔面との間に間隔を設けるための湾曲可能なスペーサー８３を固定している。このフェイスシールド８０は、図２５の斜視図に示すように、スペーサー８３を額に接触させる状態でフェイスガード部８１で顔面を被覆して、両側に延長されたストラップ部８２を後頭部側で連結して装着する構造としている。
【０００６】
しかしながらこの構成では、図２４のような展開図状態でフェイスシールドを製造する必要が生じ、成型のための金型に非常に大きなものが必要となって製造コストが高くなるという問題があった。また、大きなシート材から製造する必要があるため、必要な部分を切り取った残りの廃棄処分される部分が大きくなってロスが多くなることも製造コストを高くする原因となる。また、展開図状態での運搬、管理に際しても、サイズが大きいため、それぞれコスト高となる。
【０００７】
これを防ぐために、図２６に示すようにフェイスガード部７１とストラップ部７２を別部材とすることが考えられる。フェイスガード部７１の両側面に設けたスリット７４に、ストラップ部７２を通すことで、図２５と同様にフェイスガード部７１の両側面にストラップ部７２を設けることができ、図２５のように同様の使い勝手を実現できる。この方法であれば、フェイスガード部７１とストラップ部７２をそれぞれ別の金型を用いて成形できるため、金型を小型化できる。また運搬時や保管時にもフェイスガード部７１とストラップ部７２にそれぞれ分けて小型化でき、利便性に優れる。
【０００８】
しかしながら、この構成ではフェイスガード部７１にストラップ部７２を通して連通していることから、図２７に示すように、フェイスガード部７１とストラップ部７２との相対位置が決まらないため、使用時にストラップ部７２がずれて位置決めがし難くなり、装着感が悪いという問題があった。
【先行技術文献】
【特許文献】
【０００９】
【特許文献１】実開平０６−０２９５１１号公報
【発明の概要】
【発明が解決しようとする課題】
【００１０】
本発明は、このような背景に鑑みてなされたものであり、その目的の一は、装着感に優れたフェイスシールドを安価に多量生産できる技術を提供することにある。
【課題を解決するための手段及び発明の効果】
【００１１】
本発明の第１の側面に係るフェイスシールドは、装着者の顔を覆うフェイスシールドであって、可撓性を有する透明な樹脂製で、上部の両側に連結部をそれぞれ設けたフェイスガード部と、フェイスガード部の連結部に挿入可能な、可撓性を有する細長い板状で、両端を互いに連結可能としたストラップ部とを備えている。フェイスガード部は、シート状の本体部と、本体部の一方の面側に突出して、連結部同士の間に形成された複数のガード側凸部とを備えており、ガード側凸部の裏面側を空洞状のガード側凹部としている。ストラップ部は、ガード側凹部に嵌合するストラップ側凸部を形成している。フェイスシールドは、ストラップ部を、ストラップ側凸部がガード側凹部と対向する姿勢で、ストラップ部の両端を、連結部にそれぞれ挿入して、ストラップ側凸部をガード側凹部に嵌合させた状態で、ガード側凸部を装着者の額に接触させて、前記ストラップ部をそれぞれ後頭部側に回して連結することで着用可能に構成している。
【００１２】
上記構成により、フェイスガード部と装着者の顔面との間に空白を設けるための凸部を利用して、ストラップ部の位置ずれを抑制でき、フィット感や装着感に優れたフェイスシールドを実現できる。特に、スペーサとなる凸部の裏面側に形成されるデッドスペースである凹部を利用して、ストラップ部を嵌合させるという簡単な構成としたことで、安価に大量生産でき、新型コロナウィルスの世界的流行により需要がひっ迫しているフェイスシールドを安定供給することにもつながる。また、フェイスシールドを装着する際、複数のガード側凸部を額に接触させて、装着者の顔面とフェイスガード部との間に空間を安定的に形成でき、眼鏡やゴーグル等を着用した状態においても違和感なく装着することができる。さらに、フェイスガード部とストラップ部とを別部材とすることで、製造コストを低減しながら、収納や搬送を効率よくできる特徴が実現できる。
【００１３】
本発明の第２の側面に係るフェイスシールドは、フェイスガード部が、複数のガード側凸部を、連結部同士を結ぶ直線上に、互いに離間して形成している。
【００１４】
上記構成により、複数のガード側凸部を互いに離間して設けることで、フェイスガード部を顔面に装着する際には、複数のガード側凸部の先端部が互いに接近する姿勢となるようにシート状の本体部を湾曲しながら、複数のガード側凸部の先端面を額にフィットさせることができる。このため、頭部の形状や大きさが異なる使用者に対しても、フェイスガード部を理想的な形状に湾曲しながら額にフィットさせて、顔面を確実に被覆できる。また、複数のガード側凸部を連結部同士の間に直線上に配置することで、両側の連結部に挿入して連結されるストラップ部に設けたストラップ側凸部を、ガード側凸部の裏面側に形成されるガード側凹部に確実に案内できる。さらに、ガード側凹部にストラップ側凸部を案内した状態で、ストラップ部の両端を後頭部で連結する状態では、ストラップ側凸部で位置決めされるストラップ部を介してガード側凸部の先端面を額に押圧することで、フェイスガード部を顔面から離れた所定の位置に正しい姿勢で配置できる特長がある。とくに、ストラップ部の引っ張り力を、各ガード側凸部の先端面が額を押圧する力として作用させることで、フェイスガード部を安定して装着できる。
【００１５】
本発明の第３の側面に係るフェイスシールドは、複数のガード側凸部を、先窄み形状に形成している。
【００１６】
上記構成により、フェイスガード部を顔面に装着する際に、先窄み形状のガード側凸部の先端部を互いに接近させる姿勢となるようにシート状の本体部を湾曲できるので、フェイスガード部をより高い自由度で湾曲させて、複数のガード側凸部の先端面を使用者の額にフィットさせることができる。また、複数のガード側凸部を先窄み形状とすることで、複数枚のフェイスガード部を互いに積層する状態では、ガード側凸部とガード側凹部とを互いに嵌合させながらシート状の本体部を重ね合わせることでコンパクトに重ねることができ、多数枚を省スペースに収納しながら搬送し、また備蓄できる特長もある。
【００１７】
本発明の第４の側面に係るフェイスシールドは、複数のガード側凸部が、本体部の中間部に配置される第一ガード側凸部と、本体部の両側部に配置される第二ガード側凸部とを備えており、第一ガード側凸部の裏面側に形成されるガード側凹部をストラップ側凸部と嵌合する嵌合凹部としている。
【００１８】
本発明の第５の側面に係るフェイスシールドは、フェイスガード部が、複数の第一ガード側凸部を備えている。
【００１９】
上記構成により、連結部同士を結ぶ直線上に複数の第一ガード側凸部を形成することで、裏面側に複数の嵌合凹部を設けることができ、ストラップ側凸部を嵌合させる嵌合凹部の位置を変更することで、ストラップ部の端部の連結位置を調整することが可能となる。
【００２０】
本発明の第６の側面に係るフェイスシールドは、第一ガード側凸部を３個設けると共に、第二ガード側凸部を両側に１個ずつ設けている。
【００２１】
本発明の第７の側面に係るフェイスシールドは、第一ガード側凸部を、平面視において等脚台形状に形成している。
【００２２】
上記構成により、フェイスガード部を装着者の顔に沿って湾曲させる際、隣接するガード側凸部同士が干渉する事態を回避して、使い易くできる。
【００２３】
本発明の第８の側面に係るフェイスシールドは、第二ガード側凸部を、平面視において、フェイスガード部の中央側から側縁側に向かって突出高さが次第に低くなる形状に形成している。
【００２４】
上記構成により、フェイスガード部を装着した際に、フェイスガード部の中央側はガード側凸部と額を接触させて顔面との間に空間を形成する一方、フェイスガード部の両側部で連結部を設けた部分においては装着者の頭部に接近するようにフェイスガード部を変形させながらストラップ部を連結できる。
【００２５】
本発明の第９の側面に係るフェイスシールドは、ストラップ部が、端部の一方に複数のスリットを形成し、端部の他方にスリットに挿入可能な矢尻状の挿入部を形成している。
【００２６】
本発明の第１０の側面に係るフェイスシールドは、フェイスガード部が、防曇材を含んでいる。
【００２７】
上記構成により、フェイスガード部の表面を親水性として、装着者の吐く息などによる表面の曇りを抑制することができる。
【図面の簡単な説明】
【００２８】
【図１】本発明の実施形態１に係るフェイスシールドを示す分解斜視図である。
【図２】図１のフェイスシールドを湾曲させた使用状態を示す斜視図である。
【図３】図２のフェイスシールドの分解斜視図である。
【図４】図２のフェイスシールドのストラップ部を連結した状態を示す斜め後方から見た斜視図である。
【図５】図４のフェイスシールドの水平断面図である。
【図６】図２のフェイスシールドを展開して平面状とした正面図である。
【図７】図６のフェイスシールドの背面図である。
【図８】図６のフェイスシールドの右側面図である。
【図９】図６のフェイスシールドの平面図である。
【図１０】図６のフェイスガード部の正面図である。
【図１１】図６のフェイスガード部の右側面である。
【図１２】図６のフェイスガード部の平面図である。
【図１３】図６のストラップ部の正面図である。
【図１４】図６のストラップ部の右側面図である。
【図１５】図６のストラップ部の平面図である。
【図１６】図６のフェイスシールドの水平断面図である。
【図１７】図１６に示すフェイスシールドの模式水平断面図である。
【図１８】図６のフェイスシールドの垂直断面図である。
【図１９】図１８に示すフェイスシールドの模式垂直断面図である。
【図２０】図５の状態から右のガード側凹部にストラップ側凸部の位置を変更した状態を示す水平断面図である。
【図２１】図５の状態から左のガード側凹部にストラップ側凸部の位置を変更した状態を示す水平断面図である。
【図２２】ストラップ部の両端部の連結構造を示す拡大正面図である。
【図２３】従来の医療用顔面保護具を示す側面図である。
【図２４】透明プラスチックシートからなる参考例のフェイスシールドの展開図である。
【図２５】図２４のフェイスシールドを装着する様子を示す背面斜視図である。
【図２６】フェイスガード部とストラップ部を別部材とする参考例のフェイスシールドの分解斜視図である。
【図２７】図２６のフェイスシールドを装着した状態であって、フェイスガード部とストラップ部が位置ずれする状態を示す水平断面図である。
【発明を実施するための形態】
【００２９】
以下、本発明のフェイスシールドの実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００３０】
本発明のフェイスシールドは、装着者の顔面に装着して、顔面を外部の異物から保護するためのフェイスシールドであって、例えば、医療現場等において、医療従事者が患者から排出される飛沫や液体、血液等から顔面を保護する用途に使用される。ただ、本発明のフェイスシールドは、医療以外の目的、例えば、接客業等において、対面で応対する者同士における感染の防止や、工場等の種々の作業現場において、粉塵等の異物から顔面を保護する用途にも使用できる。
【００３１】
［実施形態１］
本発明の実施形態１にかかるフェイスシールドを図１〜図２２に示す。図１はフェイスシールドの分解斜視図を、図２は図１のフェイスシールドを湾曲させた使用状態を示す斜視図を、図３は図２のフェイスシールドの分解斜視図を、図４は図２のフェイスシールドのストラップ部を連結した状態を斜め後方から見た斜視図を、図５はフェイスシールドの装着状態を示す水平断面図を、図６〜図９はフェイスシールドの正面図、背面図、右側面図、及び平面図を、図１０〜図１２はフェイスガード部の正面図、右側面図、及び平面図を、図１３〜図１５はフェイスガード部の正面図、右側面図、及び平面図を、図１６及び図１７は図６のフェイスシールドの水平断面図及び模式水平断面図を、図１８及び図１９は図６のフェイスシールドの垂直断面図及び模式垂直断面図をそれぞれ示している。
【００３２】
図１〜図１９に示すフェイスシールド１００は、装着者の顔面Ｆを被覆するフェイスガード部１０と、このフェイスガード部１０に連結されて、フェイスガード部１０を顔面Ｆに装着するためのストラップ部２０とを備えている。フェイスガード部１０は、可撓性を有する透明な樹脂製で、上部の両側に連結部１４をそれぞれ設けている。フェイスガード部１０は、シート状の本体部１１と、この本体部１１の一方の面側に突出して、連結部１４同士の間に形成された複数のガード側凸部１２とを備え、ガード側凸部１２の裏面側を空洞状のガード側凹部１３としている。ストラップ部２０は、フェイスガード部１０の連結部１４に挿入可能な、可撓性を有する細長い板状で、両端を互いに連結可能とすると共に、ガード側凹部１３に嵌合するストラップ側凸部２３を備えている。フェイスシールド１００は、ストラップ側凸部２３をガード側凹部１３に案内する状態でガード側凸部１２を装着者の額Ｈに接触させて、ストラップ部２０をそれぞれ後頭部側に回して連結することで着用するようにしている。
なお、本明細書において、上下方向は、図面により決定するものとする。
【００３３】
（フェイスガード部１０）
フェイスガード部１０は、可撓性を有する透明の樹脂シートで製造されており、シート状の本体部１１と、この本体部１１の一方の面に突出して形成された複数のガード側凸部１２とを備えている。フェイスガード部１０は、可撓性を有する透明の樹脂製であって、好ましくは、無色透明の樹脂シートで製造される。このような樹脂として、例えば、熱可塑性樹脂である、ポリエチレンテレフタラート（ＰＥＴ）、とくに、非結晶ポリエチレンテレフタラート（Ａ−ＰＥＴ）が使用される。ポリエチレンテレフタラート製のフェイスガード部１０は、耐水性と生産性に優れる特長がある。ただ、フェイスガード部１０を成形する樹脂には、ポリエチレンテレフタラート以外の熱可塑性樹脂を使用することもできる。さらに、フェイスガード部１０を製造する樹脂は、防曇材を含むことができる。防曇材には、例えば、安全性の高いグリセリン脂肪酸エステル、ポリグリセリン脂肪酸エステル、ソルビタン脂肪酸エステルなどが使用できる。これらの防曇材を樹脂に練り込み、又は塗布することで、プラスチックの表面を親水性に変え、フェイスガード部１０の表面の曇りを防止できる。このため、装着者が吐く息などによる表面の曇りを抑制ができる。
【００３４】
フェイスガード部１０の本体部１１は、顔面全体を被覆できる大きさと形状を有している。図１〜図３、図６、及び図１０に示す本体部１１は、全体の形状を、四隅のコーナー部が面取りされた略長方形状としている。略長方形状の本体部１１は、例えば、上下幅を２０ｃｍ〜５０ｃｍ、好ましくは、２５ｃｍ〜４０ｃｍとし、左右幅を２０ｃｍ〜６０ｃｍ、好ましくは、３０ｃｍ〜４０ｃｍとして、装着者の顔面全体を被覆できるようにしている。さらに、本体部１１は、フェイスガード部１０を顔面に装着する際に簡単に湾曲できるように所定の厚さに成形される。本体部１１は、例えば、その厚さを０．１ｍｍ〜０．４ｍｍ、好ましくは０．２ｍｍ〜０．３ｍｍとする。
【００３５】
フェイスガード部１０は、本体部１１の上部の両側に、ストラップ部２０を連結するための連結部１４を設けている。図１に示す連結部１４は、細長い帯状のストラップ部２０を挿通する差し込み部１４Ａとしている。差し込み部１４Ａは、シート状の本体部１１に切り込みを設けて形成している。切り込みからなる差し込み部１４Ａは、簡単かつ容易に設けることができると共に、樹脂シートからなるストラップ部２０を簡単に挿通できる特長がある。図１に示す差し込み部１４Ａは、上下に伸びる直線部１４ａと、直線部１４ａの両端に連結された傾斜部１４ｂとからなる。両端の傾斜部１４ｂは、直線部１４ａの両端からフェイスガード部１０の中央部に向かってハの字状に広がる形状に設けられている。この形状の差し込み部１４Ａは、帯状のストラップ部２０をフェイスガード部１０の中央部側から側縁方向に向かってスムーズに挿入できる特長がある。フェイスガード部１０の両側部に形成された差し込み部１４Ａは、左右対称の位置に設けられており、フェイスガード部１０の中央部から両側縁側に向かってストラップ部２０の両端が挿通されるようにしている。
【００３６】
さらに、フェイスガード部１０は、略長方形状の本体部１１の上部であって、両側部に設けた一対の連結部１４の間に複数のガード側凸部１２を設けている。複数のガード側凸部１２は、本体部１１の一方の表面から突出する姿勢で、左右方向に並んで形成されている。ガード側凸部１２は、裏面側を空洞状のガード側凹部１３としており、ストラップ部２０のストラップ側凸部２３を嵌入できる構造としている。図のフェイスガード部１０は、平面状で所定の厚さを有する樹脂シートを真空成形して複数のガード側凸部１２を一体的に成形している。樹脂シートを真空成形して形成されるガード側凸部１２は、裏面側にガード側凹部１３が形成される。
【００３７】
複数のガード側凸部１２は、左右の連結部１４同士を結ぶ直線上に、互いに離間して形成されている。このように、複数のガード側凸部１２を左右の連結部１４の間に配置する構造は、左右の連結部１４を結ぶ状態で配置されるストラップ部２０の両端部を後頭部で連結してストラップ部２０を締め付ける状態で、ストラップ部２０の引っ張り力を、各ガード側凸部１２の先端面が額を押圧する力として作用させることができ、複数のガード側凸部１２を安定して額Ｈに押圧できる特長がある。さらに、複数のガード側凸部１２を互いに離間して配置することで、フェイスガード部１０を顔面Ｆに装着する際には、複数のガード側凸部１２の先端部を互いに接近させながらシート状の本体部１１を湾曲させて、複数のガード側凸部１２の先端面を額Ｈにフィットさせることができる。
【００３８】
図１〜図１９に示すガード側凸部１２は、シート状の本体部１１に対して突出方向に向かって次第に幅が狭くなる先窄み形状に成形されている。ガード側凸部１２は、図１５に示す平面視において、突出方向に向かって次第に左右幅が狭くなる形状とすると共に、図１４に示す側面視においても、突出方向に向かって次第に上下幅が狭くなる形状としている。この形状のガード側凸部１２は、真空成形時において、先窄み形状の傾斜面が金型の抜き勾配となって、金型からスムーズに剥離できる。また、ガード側凸部１２を先窄み形状とすることで、裏面側に形成されるガード側凹部１３の内面形状も凹部の底部に向かって先窄み形状に形成される。このため、製造された複数のフェイスガード部１０を互いに積層する際には、ガード側凸部１２を対向するガード側凹部１３に案内する状態で本体部１１を重ねてコンパクトに収納できる。このように、互いに積層可能なフェイスガード部１０は、多数を積層する状態で全体の厚さを薄くできるので、搬送時や備蓄時において、省スペースに収納できる特長がある。
【００３９】
複数のガード側凸部１２は、図１〜図５、図１７、及び図１９に示すように、本体部１１の中間部に配置される第一ガード側凸部１２Ａと、本体部１１の両側部に配置される第二ガード側凸部１２Ｂとを備えている。さらに、図に示すフェイスガード部１０は、第一ガード側凸部１２Ａの裏面側に形成されるガード側凹部１３を、ストラップ側凸部２３と嵌合する嵌合凹部１３Ｘとしている。すなわち、第一ガード側凸部１２Ａの裏面側に形成される嵌合凹部１３Ｘの内形を、ストラップ側凸部２３を嵌合状態で案内できる形状としている。
【００４０】
図に示すフェイスガード部１０は、全体で５個のガード側凸部１２を備えており、中間部に３個の第一ガード側凸部１２Ａを設けて、両側に１個ずつの第二ガード側凸部１２Ｂを設けている。３つの第一ガード側凸部１２Ａは、フェイスガード部１０の左右の中間部であって、左右対称の姿勢で設けている。第一ガード側凸部１２Ａをこの配列とするフェイスガード部１０は、真ん中の第一ガード側凸部１２Ａを、図３及び図５に示すように、顔面Ｆの中心線上に配置することで左右のバランスよく装着できる。また、ストラップ部２０のストラップ側凸部２３を真ん中の第一ガード側凹部１３Ａに案内することで、フェイスガード部の中心部を額Ｈの中心部に向かって押圧して、左右のバランスよくフェイスガード部１０を装着できる。ただ、フェイスガード部は、第一ガード側凸部の個数を３個には限定せず、第一ガード側凸部を１〜２個とすることも、４個以上とすることもできる。
【００４１】
第一ガード側凸部１２Ａは、顔面Ｆの前面側に配置されて、フェイスガード部１０を顔面から所定の距離離れた位置に配置する。このため、装着者が眼鏡やゴーグル等を着用する場合においても、眼鏡やゴーグルがフェイスガード部１０に接触することなく、安心して使用できる。したがって、顔面Ｆの前面側に配置される第一ガード側凸部１２Ａは、顔面Ｆとフェイスガード部１０との間隔を十分に保つことができるように、突出量を２ｃｍ以上であって、好ましくは２．５ｃｍ以上とする。また、第一ガード側凸部１２Ａは、突出量が大きくなると、フェイスガード部１０を顔面に安定して装着するのが難しくなる虞があるので、突出量を５ｃｍ以下であって、好ましくは４．５ｃｍ以下とする。さらに、第一ガード側凸部１２Ａの先端面は、狭すぎると安定した装着が難しくなり、広すぎると圧迫感を感じるおそれがあるので、先端面は上下幅を１〜２ｃｍ、左右幅を２〜４ｃｍ程度とする。さらにまた、先端面と外周面との境界部分は、面取りして湾曲面とすることで、装着者の接触部分に対する違和感を低減できる。
【００４２】
複数の第一ガード側凸部１２Ａは、同じ形状に形成しており、裏面側に形成されるガード側凹部１３である嵌合凹部１３Ｘも同じ形状に形成されている。図５及び図１５に示す第一ガード側凸部１２Ａは、平面視において、等脚台形状に形成している。第一ガード側凸部１２Ａの平面形状を等脚台形状とするフェイスガード部１０は、図４及び図５に示すように、本体部１１を顔に沿って湾曲させる状態で、隣接する第一ガード側凸部１２Ａ同士が互いに干渉することなくスムーズに湾曲されて、各第一ガード側凸部１２Ａの先端面を額Ｈに接触させることができる。
【００４３】
さらに、複数の第一ガード側凸部１２Ａを備えるフェイスガード部１０は、図２０と図２１に示すように、ストラップ側凸部２３を嵌合させるガード側凹部１３の位置を変更することができる。すなわち、複数の第一ガード側凸部１２Ａの裏面側に形成される複数の嵌合凹部２３Ｘを選択しながらストラップ側凸部２３を嵌合させることで、ストラップ部２０の端部の連結位置２９を調整することが可能となる。ここで、図２０は、図５の状態から右の嵌合凹部１３Ｘにストラップ側凸部２３の位置を変更した状態を示し、図２１は、図５の状態から左の嵌合凹部１３Ｘにストラップ側凸部２３の位置を変更した状態を示している。これらの図に示すように、ストラップ側凸部２３の位置を変更することで、ストラップ部２０の両端部を連結する連結位置２９を装着者の後頭部から左右にずらすことができる。したがって、装着者は、ストラップ部２０の両端部の連結位置２９を最適な位置に選択できる。
【００４４】
第二ガード側凸部１２Ｂは、第一ガード側凸部１２Ａよりも平均的な突出高さを低く形成している。図１〜図５、及び図１７に示す第二ガード側凸部１２Ｂは、平面視において、フェイスガード部１０の中央側から側縁側に向かって突出高さが次第に低くなる形状に形成している。図に示す第二ガード側凸部は、平面形状を略四角形状として、先端の形状を中央側から側縁側に向かって次第に低くなる傾斜面としている。以上のように、第二ガード側凸部１２Ｂの突出高さをフェイスガード部１０の側縁に向かって次第に低くする構造は、図５に示すように、フェイスガード部１０を装着者の頭部に装着する状態で、頭部の前面側では、フェイスガード部１０の中央部を顔面から所定の間隔に配置しながら、側頭部に近づくにつれて、フェイスガード部１０を次第に頭部に接近するように配置でき、こめかみの近傍では、フェイスガード部１０を頭部に接近させる姿勢で装着できる。これにより、装着者の両目の外側を確実にフェイスガード部１０で被覆して保護できると共に、フェイスガード部１０の両側部を頭部に接近させることで、ストラップ部２０の全長を短くできる。
【００４５】
ただ、第二ガード側凸部は、平面形状を三角形状とすることもできる。三角形状の第二ガード側凸部は、例えば、中央側に配置される側面がフェイスガード部の本体部となす角度を、反対側である側縁側に配置される側面がフェイスガード部の本体部となす角度よりも大きい鋭角とする。この形状の第二ガード側凸部も、フェイスガード部を装着した際には、フェイスガード部の中央側では三角形状の第二ガード側凸部の頂点を額に接触させて空間を形成する一方、フェイスガード部の両側部においては、三角形状の第二ガード側凸部の頂点から側縁部に向かう傾斜面を額に接触させて、装着者の頭部に接近するように配置できる。
【００４６】
以上のフェイスガード部１０は、平面状の本体部１１から突出する姿勢で複数のガード側凸部１２を設けているので、これらを積層して収納する際には、ガード側凸部１２を対向するガード側凹部１３に案内しながら、平面状の本体部１１を複数層に重ねる状態でコンパクトに収納できる。
【００４７】
また、フェイスシールド１００を顔面に装着する際には、平面状の本体部１１を湾曲しながら装着する。平面状の本体部１１は、複数のガード側凸部１２の先端を装着者の額Ｈに接触させる状態で湾曲されて、全体の形状が、平面視において装着者の顔面の前面に沿う湾曲面となるように変形される。この形状に変形されることで、フェイスガード部１０は、装着者の顔面を効率よく被覆して外部から保護できる。また、装着者の顔面に沿う湾曲面状に湾曲されるフェイスガード部１０は、所定の形状に湾曲されることで、使用時において安定できる特長もある。
【００４８】
ここで、図１〜図５に示すフェイスガード部１０は、複数のガード側凸部１２を先窄み形状とするので、フェイスガード部１０を湾曲させる状態では、隣接するガード側凸部１２同士の対向する側面同士が互いに接近する状態となってスムーズに湾曲される。また、フェイスガード部１０は、隣接する複数のガード側凸部１２の先端面が、装着者の額Ｈに接触する状態で湾曲されるので、装着する装着者の顔面の大きさや形状に沿う状態で湾曲される。したがって、使用する装着者に最適な形状に湾曲されて、良好な装着状態に保持される。例えば、頭部の周囲が大きく、額部分が平面状に近い使用者（例えば、大柄な男性）においては、隣接するガード側凸部１２の先端面が平面に近い額の全面に密着することで、フェイスガード部１０の湾曲形状は平面状に近くなる。この場合、使用者の顔面も大きくて平面状に近いため、効果的に被覆される。また、頭部の周囲が小さく、額部分が湾曲面に近い使用者（例えば、小柄な女性）においては、隣接するガード側凸部１２の先端面が湾曲面に近い額に沿って密着することで、フェイスガード部１０の湾曲形状は円弧状に近くなる。この場合、使用者の顔面も小さく、頭部の外形も小さいため、フェイスガード部が円弧状に湾曲されることで、顔面全体が効果的に保護される。
【００４９】
以上のように、複数のガード側凸部１２を隣接して設けると共に、これらのガード側凸部１２の対向する側面を先細り形状の傾斜面とする構造は、フェイスガード部１０を装着者の顔面に最適な形状に湾曲させながら無理なく装着できる特長が実現できる。
【００５０】
（ストラップ部２０）
ストラップ部２０は、フェイスガード部１０の差し込み部１４Ａに挿入可能な形状であって、可撓性を有する細長い板状としている。このストラップ部２０も、樹脂製であって、所定の厚さを有する樹脂製シートを、所定の幅と長さに裁断して製造される。ストラップ部２０には、例えば、前述のフェイスガード部１０を製造する樹脂シートと同じものが使用できるが、ストラップ部２０は、必ずしも透明である必要はなく、また防曇性も要求されない。したがって、フェイスガード部１０に使用する樹脂よりも安価な樹脂を使用してもよい。
【００５１】
ストラップ部２０は、使用者の頭部に巻き付けた状態で連結できる十分な長さと幅を有する。ストラップ部２０は、例えば、幅を２ｃｍ〜５ｃｍ、好ましくは３ｃｍ〜４ｃｍとし、全長を６０ｃｍ〜８０ｃｍとする。さらに、ストラップ部２０は、両端を互いに連結可能としている。図１〜図３のストラップ部２０は、一方の端部に複数のスリット２１を設けると共に、他方の端部には、スリット２１に挿入可能な矢尻状の挿入部２２を形成している。複数のスリット２１は、図２２に示すように、ストラップ部２０の長手方向に離して所定の間隔で設けられている。各スリット２１は、短手方向に延長して設けられた直線部２１ａと、この直線部２１ａの両端に連結された傾斜部２１ｂとからなる。両端の傾斜部２１ｂは、直線部２１ａの両端からストラップ部２０中央部側に向かってハの字状に広がる形状に設けられている。この形状のスリット２１は、矢尻状の挿入部２２を端縁側から中央部側に向かってスムーズに挿入できる特長がある。
【００５２】
挿入部２２は、先端部を山形とすると共に、後端部の両側には、外側方向に突出する引掛部２２ａを設けている。この形状の挿入部２２は、ストラップ部２０の反対側の端部に形成されたスリット２１に挿入された状態で、両側の引掛部２２ａがスリット２１の両端部に係止されて、抜けないように連結される。図２２に示すスリット２１は両端に傾斜部２１ｂを備えており、この傾斜部２１ｂに引掛部２２ａが案内されて、抜けないように係止される構造としている。この構造は、簡単な構造として、挿入部２２を確実にスリット２１に案内しながら、連結された状態では抜けない構造にできる。ただ、ストラップ部の両端部は、その連結構造を以上の構造に特定しない。ストラップ部の両端部は、互いに連結できる他の全ての構造が採用できる。
【００５３】
さらに、図１〜図３、及び図２２に示すストラップ部２０は、フェイスガード部１０の差し込み部１４Ａに挿通される端部が逆方向に抜けるのを防止するための抜け止め凹部２４を備えている。図のストラップ部２０は、両端部の両側縁に複数の抜け止め凹部２４を設けている。抜け止め凹部２４は、差し込み部１４Ａに挿入される端部が、フェイスガード部１０の内側から外側に向かって挿入される状態では、引っかかることなくスムーズに通過でき、逆方向に移動する際には、差し込み部１４Ａの端部に引っかかって逆方向への移動が阻止されるように、アンダーカット形状の凹部としている。複数の抜け止め凹部２４は、ストラップ部２０の端部の両側縁の対向する位置に所定の間隔で形成されている。両端部に抜け止め凹部２４を備えるストラップ部２０は、差し込み部２４Ａに挿通された端部が意図せずに抜けるのを有効に防止できる。
【００５４】
さらに、図１及び図５に示すストラップ部２０は、フェイスガード部１０に形成されたガード側凹部１３であって、嵌合凹部１３Ｘに嵌合されるストラップ側凸部２３を成形している。ストラップ側凸部２３は、ストラップ部２０の長手方向のほぼ中央部に位置して、一体成形して設けられている。図のストラップ部は、樹脂シートを真空成形してストラップ側凸部２３を成形している。ストラップ側凸部２３は、図５に示すように、嵌合凹部１３Ｘに嵌合される形状であって、平面視において等脚台形状に形成すると共に、形状第一ガード側凸部２１Ａよりも低く形成している。
【００５５】
以上のフェイスシールド１００は、以下のようにして装着者の顔面に装着される。
（１）図１〜図３に示すように、ストラップ部２０の両端部をそれぞれフェイスガード部１０の両側部に設けた連結部１４である差し込み部１４Ａに挿通する。
（２）ストラップ部２０は、中央部に設けたストラップ側凸部２３がフェイスガード部１０に設けたガード側凸部１２の裏面側に形成されたガード側凹部１３に案内される。図１〜図３に示すストラップ部２０は、第一ガード側凸部１２Ａの裏面側に形成された嵌合凹部１３Ｘにストラップ側凸部２３を案内する状態を示している。このとき、複数の嵌合凹部１３Ｘを備えるフェイスガード部１０にあっては、ストラップ部２０のストラップ側凸部２３を所望の嵌合凹部１３Ｘに嵌合させる。この状態で、ストラップ側凸部２３がフェイスガード部１０の定位置に連結される。
（３）フェイスガード部１０を装着者の顔面Ｆに装着する。フェイスガード部１０は、図３に示すように、複数のガード側凸部１２の先端面であって、とくに、第一ガード側凸部１２Ａの先端面が額Ｈに接触するように顔面Ｆに装着される。さらに、このとき、フェイスガード部１０は、図５に示すように、複数のガード側凸部１２の先端部が互いに接近するように本体部１１が湾曲される。フェイスガード部１０は、複数の第一ガード側凸部１２Ａの先端面が額Ｈの前面に接触し、両側の第二ガード側凸部１２Ｂの先端面が額Ｈの側部に接触する状態となるように、本体部１１を湾曲させる。
（４）図４及び図５に示すように、ストラップ部２０の両端部を後頭部において連結する。ストラップ部２０は、頭部の周囲に沿って締め付ける状態で両端部を接近させると共に、最適な張力となる位置で連結する。ストラップ部２０の両端は、一方の端部に設けた挿入部２２を、他方の端部に設けたスリット２１に挿入して連結される。
この状態で、フェイスガード部１０は、第一ガード側凸部１２Ａの裏面側に形成された嵌合凹部１３Ｘに嵌入されるストラップ側凸部２３により位置決めされると共に、ストラップ部２０の両端部が装着者の後頭部側に引っ張られる状態で締め付けられて、複数のガード側凸部１２の先端面が額Ｈに接触する状態に押圧される。ストラップ部２０による締め付け方向は、第一ガード側凸部１２Ａが、嵌合凹部１３Ｘに嵌合されるストラップ側凸部２３を介して額Ｈを押圧する方向と一致するため、フェイスガード部１０は、第一ガード側凸部１２Ａの先端面を額Ｈに接触させる姿勢において安定して装着される。
【産業上の利用可能性】
【００５６】
本発明に係るフェイスシールドは、安価に多量生産しながら便利に収納でき、しかも装着感に優れたフェイスシールドとして、医療現場等において好適に使用できる。
【符号の説明】
【００５７】
１００…フェイスシールド
１０…フェイスガード部
１１…本体部
１２…ガード側凸部
１２Ａ…第一ガード側凸部
１２Ｂ…第二ガード側凸部
１３…ガード側凹部
１３Ｘ…嵌合凹部
１４…連結部
１４Ａ…差し込み部
１４ａ…直線部
１４ｂ…傾斜部
２０…ストラップ部
２１…スリット
２１ａ…直線部
２１ｂ…傾斜部
２２…挿入部
２２ａ…引掛部
２３…ストラップ側凸部
２４…抜け止め凹部
２９…連結位置
７１…フェイスガード部
７２…ストラップ部
７４…スリット
８０…フェイスシールド
８１…フェイスガード部
８２…ストラップ部
８３…スペーサー
９１…平板フィルム
９２…固定部材
９３…スペーサー部
Ｆ…顔面
Ｈ…額
【要約】
【課題】装着感に優れたフェイスシールドを安価に多量生産する。
【解決手段】フェイスシールドは、可撓性を有する透明な樹脂製のフェイスガード部１０の上部の両側に設けた連結部１４に可撓性を有する細長い板状のストラップ部２０を挿入している。フェイスガード部１０は、シート状の本体部１１と、連結部１４同士の間に形成された複数のガード側凸部１２とを備えており、ガード側凸部１２の裏面側を空洞状のガード側凹部１３としている。ストラップ部２０は、ガード側凹部１３に嵌合するストラップ側凸部２３を形成している。フェイスシールドは、ストラップ部２０の両端を連結部１４に挿入して、ストラップ側凸部２３をガード側凹部１３に嵌合させた状態で、ガード側凸部１２を装着者の額Ｈに接触させて、ストラップ部２０をそれぞれ後頭部側に回して連結して着用する。
【選択図】図１【図１】
0006793986.tif 000002
【図２】
0006793986.tif 000003
【図３】
0006793986.tif 000004
【図４】
0006793986.tif 000005
【図５】
0006793986.tif 000006
【図６】
0006793986.tif 000007
【図７】
0006793986.tif 000008
【図８】
0006793986.tif 000009
【図９】
0006793986.tif 000010
【図１０】
0006793986.tif 000011
【図１１】
0006793986.tif 000012
【図１２】
0006793986.tif 000013
【図１３】
0006793986.tif 000014
【図１４】
0006793986.tif 000015
【図１５】
0006793986.tif 000016
【図１６】
0006793986.tif 000017
【図１７】
0006793986.tif 000018
【図１８】
0006793986.tif 000019
【図１９】
0006793986.tif 000020
【図２０】
0006793986.tif 000021
【図２１】
0006793986.tif 000022
【図２２】
0006793986.tif 000023
【図２３】
0006793986.tif 000024
【図２４】
0006793986.tif 000025
【図２５】
0006793986.tif 000026
【図２６】
0006793986.tif 000027
【図２７】
0006793986.tif 000028